(57)【要約】【課題】火災報知設備の保守点検時には、不要な情報を顧客サービスサーバに送信しないように、データ送信側の通信遮断が可能である火災報知設備のリモート監視用インタフェース装置を提供することを目的とするものである。【解決手段】物件毎に設置される火災受信機を、ネットワークを介して、サーバに接続するインタフェース装置であって、上記火災受信機からの移報信号を受信する移報信号受信手段と、上記移報信号受信手段に移報信号が入力されると、上記移報信号を取り込み、データ化し、出力する制御手段と、上記制御手段が出力したデータを、上記ネットワークを介して、上記サーバに送信する送信手段とを有する火災報知設備のリモート監視用インタフェース装置である。【選択図】  図２
2004280497.tif 000002
【特許請求の範囲】
【請求項１】
物件毎に設置される火災受信機を、ネットワークを介して、サーバに接続するインタフェース装置であって、
上記火災受信機からの移報信号を受信する移報信号受信手段と；
上記移報信号受信手段に移報信号が入力されると、上記移報信号を取り込み、データ化し、出力する制御手段と；
上記制御手段が出力したデータを、上記ネットワークを介して、上記サーバに送信する送信手段と；
を有することを特徴とする火災報知設備のリモート監視用インタフェース装置。
【請求項２】
請求項１において、
遮断スイッチが設けられ、
上記制御手段は、上記遮断スイッチがオンされているときに、上記移報信号受信手段から移報信号を受信する手段、または、上記送信手段が送信するデータを遮断する手段であることを特徴とする火災報知設備のリモート監視用インタフェース装置。
【請求項３】
請求項１または請求項２において、
上記火災報知設備のリモート監視用インタフェース装置内の各部に電源を供給する電源回路を有し、
上記制御手段は、上記電源回路の電源電圧を監視し、上記電源電圧が所定の電圧よりも低下すると、上記通信装置を介して、上記電源電圧が所定の電圧よりも低下したことを示す電源低下信号を、上記サーバに送信した後に、上記制御手段の動作を停止する手段であることを特徴とする火災報知設備のリモート監視用インタフェース装置。
【請求項４】
請求項１または請求項２において、
上記火災報知設備のリモート監視用インタフェース装置内の各部に電源を供給する電源回路を有し、
上記制御手段は、上記電源回路の電源電圧を監視し、上記電源電圧が所定の電圧よりも低下すると、上記サーバへ信号を送信することを停止する手段であることを特徴とする火災報知設備のリモート監視用インタフェース装置。
【請求項５】
請求項１または請求項２において、
上記火災報知設備のリモート監視用インタフェース装置内の各部に電源を供給する電源回路を有し、
上記制御手段は、上記電源回路の電源電圧を監視し、上記電源電圧が所定の電圧よりも低下すると、上記通信装置を介して、上記電源電圧が所定の電圧よりも低下したことを示す電源低下信号を、上記サーバに送信する手段であることを特徴とする火災報知設備のリモート監視用インタフェース装置。
【請求項６】
請求項１または請求項２において、
上記火災報知設備のリモート監視用インタフェース装置内の各部に電源を供給する電源回路を有し、
上記制御手段は、上記電源回路の電源電圧を監視し、上記電源電圧が所定の電圧よりも低下した後に、上記所定の電圧に戻ると、上記サーバへの送信を開始する手段であることを特徴とする火災報知設備のリモート監視用インタフェース装置。
【請求項７】
請求項１または請求項２において、
上記制御手段は、上記電源回路の電圧が所定の電圧よりも低下したことを、上記サーバに通知したときに、その後におけるリモート監視用インタフェース装置からの信号を無視するように、上記サーバに通知する手段であることを特徴とする火災報知設備のリモート監視用インタフェース装置。
【発明の詳細な説明】
【０００１】
【発明の属する技術分野】
本発明は、火災報知設備をリモート監視する場合におけるインタフェース装置に関する。
【０００２】
【従来の技術】
従来、自動火災報知設備等の消防用設備が、所定の防火対象物である建物に設けられていることはもちろん、その他の各種建物にも設けられている。このような設備は、火災という予想できない事態が発生した場合に適切に対応できるように、その機能を常時維持管理する必要がある。
【０００３】
このような消防用設備（防災設備）の情報を、遠方に存在している管理者等に、正確かつ迅速に報知するために、電話回線を介して、各防災監視盤をサーバ装置に接続し、インターネットを介して、電子メールを携帯電話に送出するシステムが提案されている（たとえば、特許文献１参照）。この防災監視盤には、サーバ装置と常時接続するための入出力制御Ｉ／Ｆを内蔵している。
【０００４】
上記従来では、保守点検を行う前に試験モード中であることを移報した上で、各種端末機器の情報を、火災受信機から移報信号を出力している。このために、移報信号の受信側は、不要な情報であっても移報信号を受ける必要がある。
【０００５】
また、移報信号を外部に出力するインタフェースがユニットして盤内に設けられ、火災受信機の予備電源がインタフェースに安定的に供給可能となっていた。しかし、このようなインタフェースを火災受信機内に備えると、コスト高になり、また、インタフェース自体の電源ダウンを認識することができない。
【０００６】
【特許文献１】
特開２００２−１８３８６４号公報
【０００７】
【発明が解決しようとする課題】
しかし、上記従来例では、火災報知設備の保守点検時には、不要な情報が顧客サービスサーバに送信されるという問題がある。
【０００８】
また、上記従来例では、独自に電源を備える火災報知設備のリモート監視用インタフェース装置において、電源電圧が低下したときに、不安定な動作に基づいて顧客サービスセンタへデータを誤送信することがあるという問題がある。
【０００９】
本発明は、火災報知設備の保守点検時には、不要な情報を顧客サービスサーバに送信しないように、データ送信側の通信遮断が可能である火災報知設備のリモート監視用インタフェース装置を提供することを目的とするものである。
【００１０】
また、本発明は、独自に電源を備える火災報知設備のリモート監視用インタフェース装置において、電源電圧が低下したときに、不安定な動作に基づいて顧客サービスセンタへデータを誤送信することがない火災報知設備のリモート監視用インタフェース装置を提供することを目的とするものである。
【００１１】
【課題を解決するための手段】
本発明は、物件毎に設置される火災受信機を、ネットワークを介して、サーバに接続するインタフェース装置であって、上記火災受信機からの移報信号を受信する移報信号受信手段と、上記移報信号受信手段に移報信号が入力されると、上記移報信号を取り込み、データ化し、出力する制御手段と、上記制御手段が出力したデータを、上記ネットワークを介して、上記サーバに送信する送信手段とを有する火災報知設備のリモート監視用インタフェース装置である。
【００１２】
【発明の実施の形態および実施例】
図１は、本発明の一実施例であるリモート監視用インタフェース装置１００を含む火災報知設備のリモート監視システムＲＭ１の構成を示す図である。
【００１３】
火災報知設備のリモート監視システムＲＭ１は、顧客側設備ＣＬと、ネットワークＮＷと、顧客サービスセンタＳＣとによって構成されている。
【００１４】
顧客側設備ＣＬは、火災受信機ＲＥと、リモート監視用インタフェース１００と、送信装置６０とによって構成されている。
【００１５】
ネットワークＮＷは、携帯電話を利用したデータ通信網である。
【００１６】
顧客サービスセンタＳＣは、ルータＲＴと、リモート監視サーバＳＶ１と、顧客サポートＤＢサーバＳＶ２と、リモートメンテクライアントＭＣ１と、これらをローカルエリアネットワークで結合するＬＡＮとを具備する。
【００１７】
送信装置６０は、ネットワークＮＷに接続する電話端末であり、ネットワークＮＷとの間で無線接続してデータ送信する。そして、送信装置６０が送信すべき火災報知設備のデータを、リモート監視用インタフェース装置１００が作成する。
【００１８】
図２は、上記実施例であるリモート監視用インタフェース装置１００を含む顧客側設備ＣＬを示すブロック図である。
【００１９】
顧客側設備ＣＬは、火災受信機ＲＥと、リモート監視用インタフェース装置１００と、ＡＣアダプタ５２と、送信装置６０と、ホスト機器７０とを有する。
【００２０】
火災受信機群ＲＥは、通常は建物に設けられている設備毎に１台づつ、顧客側設備ＣＬとして設けられ、１台の火災受信機ＲＥに対して、リモート監視用インタフェース装置１００が１台接続される。
【００２１】
火災受信機ＲＥ１、ＲＥ２、……は、複数種類の火災受信機が接続可能であることを示し、火災受信機ＲＥ１は、詳細には示さないが、ＲＳ４２２Ａの出力インタフェースを備え、シリアル伝送によって、移報信号を出力可能であり、いわゆるＲ型の火災受信機ではこのような移報機能を有している。
【００２２】
また、火災受信機ＲＥ２は、詳細には示さないが、伝送による移報機能を備えず、接点信号を用いて、移報情報毎に出力線を配線するものであり、通常の火災受信機、いわゆるＰ型の火災受信機であっても、標準的に備えている移報出力機能を具備している。
【００２３】
したがって、リモート監視用インタフェース装置１００における移報信号受信手段２０は、接続される火災受信機ＲＥのタイプに応じて、ＲＳ４２２Ａが接続される受信機Ｉ／Ｆ２１、または、接点信号に用いる出力線が接続されるＩ／Ｏ回路２２である。なお、火災受信機ＲＥは、火災受信機ＲＥ１、ＲＥ２のみでなく、自動火災報知設備以外の監視盤や制御盤、たとえば、スプリンクラ消火設備における監視盤、防排煙機器の制御盤等から状態を示す接点信号を受信できるものであってもよい。
【００２４】
リモート監視用インタフェース装置１００は、制御手段（ＣＰＵ）１０と、移報信号受信手段２０と、選択スイッチ２３と、遮断スイッチ２４と、表示灯２５と、ホスト移報Ｉ／Ｆ３０と、送信装置Ｉ／Ｆ４０と、電源回路５０と、電池５１とを有する。
【００２５】
リモート監視用インタフェース装置１００は、物件毎に設置される火災受信機を、ネットワークＮＷを介して、サーバＳＶ１に接続するインタフェース装置である。
【００２６】
制御手段１０は、移報信号受信手段２０に移報信号が入力されると、上記移報信号を取り込み、データ化し、出力する手段である。
【００２７】
移報信号受信手段２０は、受信機Ｉ／Ｆ２１と、Ｉ／Ｏ回路２２とを有し、火災受信機ＲＥ１、ＲＥ２、……からの移報信号を受信する手段である。
【００２８】
受信機Ｉ／Ｆ２１は、データによって移報出力することができる火災受信機ＲＥ１が接続されるＲＳ４２２Ａのインタフェースである。
【００２９】
Ｉ／Ｏ回路２２は、火災受信機ＲＥ２のオン、オフを知らせる信号である接点信号を受信する回路であり、接点による移報出力を受信する受信回路であり、その他、インタフェース装置１００内の各種スイッチの状態が入力されるとともに、各種表示灯の制御出力を行う出力回路を兼ねている。
【００３０】
制御手段（ＣＰＵ）１０は、主に、受信機Ｉ／Ｆ２１またはＩ／Ｏ回路２２を介して移報信号の入力があると、移報された情報をパケットデータ化し、送信装置６０を介して、サーバＳＶ１に送信する。また、制御手段１０は、遮断スイッチ２４がオンされているときに、移報信号受信手段２０から移報信号を受信する手段である。さらに、制御手段１０は、送信装置６０が送信するデータを遮断する手段であり、このとき制御手段１０は受信した移報信号を破棄する。
【００３１】
また、制御手段１０は、電源回路５０の電源電圧を監視し、この電源電圧が所定の電圧よりも低下すると、通信装置６０を介して、上記電源電圧が所定の電圧よりも低下したことを示す電源低下信号を、サーバＳＶ１に送信し、その後に、制御手段１０の動作を停止する手段である。
【００３２】
送信装置６０は、ネットワークＮＷの端末であり、ＲＳ２３２Ｃのインタフェースを介して、インタフェース装置１００の送信装置Ｉ／Ｆ４０と接続されている。また、送信装置６０は、制御手段としての制御手段１０が出力したデータを、ネットワークＮＷを介して、サーバＳＶ１に送信する送信手段の例である。
【００３３】
ホスト移報Ｉ／Ｆ３０は、インタフェース装置１００が受信しているデータを確認するホスト機器（表示装置）７０を、必要に応じて接続可能にするためのＲＳ４２２Ａインタフェースである。たとえば、移報信号受信手段２０を介して、火災受信機ＲＥ側からの信号を制御手段１０が認識していることを確認することができ、送信装置６０を遮断しながら、確認することができる。
【００３４】
電源回路５０は、非常用に電池５１を備え、送信装置６０とともに、インタフェース装置１００の全体に電源を供給するものであり、電源電圧が制御手段１０によって監視されている。
【００３５】
表示灯２５は、複数のＬＥＤで構成され、詳細には示さないが、電源灯と、火災受信機ＲＥ１、ＲＥ２、……側と送信装置６０側との双方の通信状態を示す通信灯と、通信の遮断状態を示す遮断灯との４つが設けられている。
【００３６】
選択スイッチ２３は、受信機Ｉ／Ｆ２１に接続されている火災受信機ＲＥ１の形式を、複数種類の中から１つの種類を選択するように設定するスイッチであり、ディップスイッチ等で構成されている。
【００３７】
遮断スイッチ２４は、送信装置６０からネットワークＮＷへの送信を遮断する場合に、オンするスイッチであり、具体的には、送信装置Ｉ／Ｆ４０が送信装置６０へ送るべき送信装置Ｉ／Ｆ４０の出力信号を遮断するスイッチである。この遮断スイッチ２４によって信号を遮断する場合は、火災報知設備の動作を確認するための試験を行っているときに火災信号等を遮断する場合である。
【００３８】
なお、火災受信機ＲＥ１、ＲＥ２、……から受信する移報信号について、簡単に説明する。端末情報として、火災信号、端末機器作動信号、伝送異常信号等、受信機状態情報として、復旧信号、プリンタ停止信号、音響停止信号、試験異常信号等、その他、トレンド情報、時刻情報等、火災報知設備に関する各種状態の変化が移報され、また、サーバＳＶ１からの要求によって各種の状態を取り込むことができる。
【００３９】
次に、上記実施例の動作について説明する。
【００４０】
図３、図４、図５、図６、図７は、上記実施例におけるリモート監視用インタフェース装置１００の動作を示すフローチャートである。
【００４１】
まず、電源投入し、初期化し（Ｓ１）、ディップスイッチ等の設定が異常であれば（Ｓ２）、表示灯２５によってエラーを表示する（Ｓ３）。設定が正常であれば（Ｓ２）、火災受信機ＲＥ１、ＲＥ２、……への接続が完了したか否かを判断し（Ｓ４）。その接続が完了していれば（Ｓ４）、顧客サービスセンタＳＣへの電話発信を、送信装置６０に命令する（Ｓ５）。
【００４２】
顧客サービスセンタＳＣとの電話回線が確立すれば（Ｓ６）、火災受信機ＲＥ１、ＲＥ２、……とインタフェース装置１００との間で接続が確立したことを、インタフェース装置１００が、顧客サービスセンタＳＣに通知する（Ｓ７）。
【００４３】
その後に、顧客サービスセンタＳＣから状態要求電文を受信し（Ｓ８）、顧客サービスセンタＳＣへ、要求された情報を送信する（Ｓ９）。そして、たとえば１０分間何もしないと、電話回線を切断する（Ｓ１０）。
【００４４】
以上が、上記実施例における立ち上げ用状態合わせの動作である。
【００４５】
インタフェース装置１００は、通常、ＡＣ駆動であり、ＡＣアダプタ５２の抜け、故障、停電等によってＡＣ電源が駆動していなければ（Ｓ２１）、電池５１による駆動へ切り替え（Ｓ２２）、電池５１による駆動へ切り替えたことを、顧客サービスセンタＳＣへ通知していれば（Ｓ２３）、電池５１の残容量を電源電圧として調べ（Ｓ３１）、電池５１に充分な電圧があれば（Ｓ３１）、火災受信機ＲＥ１、ＲＥ２、……における状態の変化をチェックする（Ｓ４１）。
【００４６】
端末異常、火災受信機のシステム的な状態変化等、火災受信機ＲＥ１、ＲＥ２、……における状態が変化し（Ｓ４２）、移報遮断解除中であれば（Ｓ４３）、顧客サービスセンタＳＣへ電話を発信し（Ｓ４４）、顧客サービスセンタＳＣとの電話回線が確立すれば（Ｓ４５）、顧客サービスセンタＳＣへ、火災受信機ＲＥ１、ＲＥ２、……の状態が変化した内容を通知し（Ｓ４６）、電話回線を切断する（Ｓ４７）。その後は、図７に示すステップＳ５１に進む。
【００４７】
図４に示すステップＳ２３において、電池５１による駆動へ切り替えたことを、顧客サービスセンタＳＣへ通知していなければ、図５に示すステップＳ２４では、顧客サービスセンタＳＣへ電話を発信し、顧客サービスセンタＳＣとの電話回線が確立した後に（Ｓ２５）、リモート監視用インタフェース装置１００が停電になったことを示す「リモートＩ／Ｆ停電」を、顧客サービスセンタＳＣへ送信し（Ｓ２６）、ステップＳ１に戻る。
【００４８】
図４に示すステップＳ３１において、電池５１の電源電圧のレベルが低く、残容量が不充分であることが判明すれば、図６に示すステップＳ３２では、顧客サービスセンタＳＣへ電話を発信し、顧客サービスセンタＳＣとの電話回線が確立すれば（Ｓ３３）、顧客サービスセンタＳＣへ、電源電圧が低下した旨を送信する（Ｓ３４）。そして、電話回線を切断し（Ｓ３５）、火災受信機ＲＥ１、ＲＥ２、……との通信を停止し（Ｓ３６）、電源回路５０をオフし（Ｓ３７）、無駄な動きをしないように、動作を終了する。
【００４９】
図４に示すステップＳ４７において、電話回線を切断した後に、図７に示すステップＳ５１では、顧客サービスセンタＳＣからの要求・制御の有無を判断し、顧客サービスセンタＳＣからの要求・制御が有れば、リモート監視用インタフェース装置１００が移報遮断解除であるか否かを判断し（Ｓ５２）、リモート監視用インタフェース装置１００が移報遮断解除でなければ、ステータスの要求・制御を判断する（Ｓ５３）。なお、上記「移報」は、火災受信ＲＥ１、ＲＥ２、……が顧客サービスセンタＳＣへ状態情報を送る動作であり、顧客サービスセンタＳＣからの指示に応答して行なう動作である。
【００５０】
ステータスの要求・制御であれば（Ｓ５３）、顧客サービスセンタＳＣへ電話を発信し（Ｓ５４）、顧客サービスセンタＳＣとの間で電話回線が確立すれば（Ｓ５５）、顧客サービスセンタＳＣからの要求・制御に対して、リモート監視用インタフェース装置１００が応答し（Ｓ５６）、電話回線を切断する（Ｓ５７）。
【００５１】
リモート監視用インタフェース装置１００は、主に、火災受信機ＲＥ１、ＲＥ２、……から移報信号を受信し、この受信した移報信号による情報を、データ化し、携帯電話の通信網を利用してデータ送信する。そして、火災報知設備の保守点検時には、インタフェース装置１００が、不要な情報を顧客サービスセンタＳＣに送信しないように、データ送信側の通信遮断が可能であり、遮断スイッチ２４をオンすれば、リモート監視用インタフェース装置１００が火災受信機ＲＥ１、ＲＥ２、……から移報信号を受信しても、ネットワークＮＷへデータが送信されない。
【００５２】
また、リモート監視用インタフェース装置１００は、独自に電源回路５０を備え、制御手段１０が電源回路５０の供給電圧を監視し、この監視された電圧が低下したときに、顧客サービスセンタＳＣに、電源回路５０の電源が低下したことを示すデータを送信した後に、自己の動作（リモート監視用インタフェース装置１００の動作）を停止する。これによって、リモート監視用インタフェース装置１００が備えている独自の電源回路５０の電圧が低下しても、不安定な動作に基づく顧客サービスセンタＳＣへのデータ誤送信が行われない。
【００５３】
つまり、上記実施例によれば、火災報知設備の保守点検時には、不要な情報を顧客サービスサーバＳＣに送信しないように、データ送信側の通信遮断が可能である。
【００５４】
また、上記実施例によれば、独自に電源を備える火災報知設備のリモート監視用インタフェース装置において、電源電圧が低下したときに、不安定な動作に基づいて顧客サービスセンタＳＣへデータを誤送信することがない。
【００５５】
さらに、上記実施例において、制御手段１０が、電源回路５０の電源電圧を監視し、上記電源電圧が所定の電圧よりも低下すると、上記サーバへ信号を送信することを停止する手段であってもよい。
【００５６】
そして、上記実施例において、制御手段１０は、電源回路５０の電源電圧を監視し、上記電源電圧が所定の電圧よりも低下すると、通信装置６０を介して、上記電源電圧が所定の電圧よりも低下したことを示す電源低下信号を、上記サーバに送信する手段であってもよく、この場合、動作を停止せずに電源が回復するときに、再起動の動作は不要である。
【００５７】
また、上記実施例において、制御手段１０は、電源回路５０の電源電圧を監視し、上記電源電圧が所定の電圧よりも低下した後に、上記所定の電圧に戻ると、上記サーバへの送信を開始する手段であってもよい。このようにすれば、信号送信を停止している間に受信した情報を有効に利用することができる。
【００５８】
さらに、上記実施例において、制御手段１０は、電源回路５０の電圧が所定の電圧よりも低下したことを、上記サーバに通知したときに、その後におけるリモート監視用インタフェース装置１００からの信号を無視するように、上記サーバに通知する手段であってもよい。これによって、インタフェース装置１００がそのまま稼動していても、不安定な状態にあることを上記サーバに認識させることができる。
【００５９】
【発明の効果】
本発明によれば、火災報知設備の保守点検時には、不要な情報を顧客サービスサーバに送信しないように、データ送信側の通信遮断が可能であるという効果を奏する。
【００６０】
また、本発明によれば、電源電圧を常時監視するので、万一、電圧が低下した場合にも、顧客サービスサーバへ誤った情報を送信することがないという効果を奏する。
【図面の簡単な説明】
【図１】本発明の一実施例であるリモート監視用インタフェース装置１００を含む火災報知設備のリモート監視システムＲＭ１の構成を示す図である。
【図２】上記実施例であるリモート監視用インタフェース装置１００を含む顧客側設備ＣＬを示すブロック図である。
【図３】上記実施例におけるリモート監視用インタフェース装置１００の動作を示すフローチャートである。
【図４】上記実施例におけるリモート監視用インタフェース装置１００の動作を示すフローチャートである。
【図５】上記実施例におけるリモート監視用インタフェース装置１００の動作を示すフローチャートである。
【図６】上記実施例におけるリモート監視用インタフェース装置１００の動作を示すフローチャートである。
【図７】上記実施例におけるリモート監視用インタフェース装置１００の動作を示すフローチャートである。
【符号の説明】
ＲＭ１…火災報知設備のリモート監視システム、
ＣＬ…顧客側設備、
ＳＣ…顧客サービスセンタ、
１００…リモート監視用インタフェース、
１０…制御手段、
２０…移報信号受信手段、
２１…受信機Ｉ／Ｆ、
２２…Ｉ／Ｏ回路、
２３…選択スイッチ、
２４…遮断スイッチ、
２４…表示灯、
３０…ホスト移報Ｉ／Ｆ、
４０…送信装置Ｉ／Ｆ、
５０…電源回路、
５１…電池、
５２…ＡＣアダプタ、
６０…送信装置、
７０…ホスト機器、
ＲＥ…火災受信機、
ＲＥ１、ＲＥ２…火災受信機、
６０…送信装置、
ＮＷ…ネットワーク、
ＳＶ１…リモート監視サーバ、
ＳＶ２…顧客サポートＤＢサーバ。
【図１】
2004280497.tif 000003
【図２】
2004280497.tif 000004
【図３】
2004280497.tif 000005
【図４】
2004280497.tif 000006
【図５】
2004280497.tif 000007
【図６】
2004280497.tif 000008
【図７】
2004280497.tif 000009